(57)【要約】  本発明は、電子機器、及びデータ伝送システムに関し、コンピュータ技術分野に属する。第１の電子機器は、マイクロＵＳＢインタフェース、ＣＰＵ、及びダイオードを含み、前記ＣＰＵのＩＤピンのプルアップ回路は、前記ＣＰＵのＩＤピンと前記マイクロＵＳＢインタフェースのＩＤピンとの間の回線に接続され、前記ダイオードは、前記ＣＰＵのＩＤピンと前記マイクロＵＳＢインタフェースのＩＤピンとの間の回線に設けられ、前記プルアップ回路と前記マイクロＵＳＢインタフェースのＩＤピンとの間に位置し、前記ダイオードの導通方向は、前記ＣＰＵのＩＤピンから前記マイクロＵＳＢインタフェースのＩＤピンに向かう方向である。本発明によると、電子機器の損壊を防ぐことができる。【選択図】図１
2017505502.tif 000002
【特許請求の範囲】
【請求項１】
マイクロＵＳＢインタフェース、ＣＰＵ、及びダイオードを含む第１の電子機器であって、
前記ＣＰＵのＩＤピンのプルアップ回路は、前記ＣＰＵのＩＤピンと前記マイクロＵＳＢインタフェースのＩＤピンとの間の回線に接続され、
前記ダイオードは、前記ＣＰＵのＩＤピンと前記マイクロＵＳＢインタフェースのＩＤピンとの間の回線に設けられ、前記プルアップ回路と前記マイクロＵＳＢインタフェースのＩＤピンとの間に位置し、
前記ダイオードの導通方向は、前記ＣＰＵのＩＤピンから前記マイクロＵＳＢインタフェースのＩＤピンに向かう方向であることを特徴とする第１の電子機器。
【請求項２】
前記マイクロＵＳＢインタフェースのＩＤピンと前記ＣＰＵのＩＤピンとの間の回線には、第１の抵抗が直列に接続されていることを特徴とする請求項１に記載の第１の電子機器。
【請求項３】
前記第１の抵抗は、前記プルアップ回路と前記ＣＰＵのＩＤピンとの間の回線に設けられていることを特徴とする請求項２に記載の第１の電子機器。
【請求項４】
前記プルアップ回路は、プルアップ電源、及び第２の抵抗を含むことを特徴とする請求項１に記載の第１の電子機器。
【請求項５】
前記第２の抵抗の抵抗値は、予め設定された抵抗値の下限値より大きいことを特徴とする請求項４に記載の第１の電子機器。
【請求項６】
前記プルアップ電源の電圧は、１．８Ｖであることを特徴とする請求項４に記載の第１の電子機器。
【請求項７】
前記ダイオードは、ショットキーダイオードを含むことを特徴とする請求項１に記載の第１の電子機器。
【請求項８】
ＵＳＢ Ｔｙｐｅ Ｃインタフェースを備える第２の電子機器、及び請求項１乃至７のいずれか１項に記載の第１の電子機器を含むデータ伝送システムであって、
前記第２の電子機器のＵＳＢ Ｔｙｐｅ Ｃインタフェースと前記第１の電子機器のマイクロＵＳＢインタフェースとは、変換ケーブルを介して接続されることを特徴とするデータ伝送システム。
【請求項９】
前記ＵＳＢ Ｔｙｐｅ ＣインタフェースのＣＣ１ピン及びＣＣ２ピンは、前記変換ケーブルを介して前記マイクロＵＳＢインタフェースのＩＤピンに接続され、
前記ＵＳＢ Ｔｙｐｅ Ｃインタフェースの電源ＶＢＵＳピンは、前記変換ケーブルを介して前記マイクロＵＳＢインタフェースのＶＢＵＳピンに接続され、
前記ＵＳＢ Ｔｙｐｅ ＣインタフェースのＤ−ピンは、前記変換ケーブルを介して前記マイクロＵＳＢインタフェースのＤ−ピンに接続され、
前記ＵＳＢ Ｔｙｐｅ ＣインタフェースのＤ＋ピンは、前記変換ケーブルを介して前記マイクロＵＳＢインタフェースのＤ＋ピンに接続され、
前記ＵＳＢ Ｔｙｐｅ ＣインタフェースのＧＮＤピンは、前記変換ケーブルを介して前記マイクロＵＳＢインタフェースのＧＮＤピンに接続されることを特徴とする請求項１に記載のデータ伝送システム。
【発明の詳細な説明】
【技術分野】
【０００１】
本発明は、コンピュータ技術分野に関し、特に、電子機器、及びデータ伝送システムに関する。
【背景技術】
【０００２】
コンピュータ技術の飛躍的な発展に伴い、様々な電子機器が幅広く応用され、既に人々の日常勤務・生活で非常に重要なツールになっている。電子機器同士の間でデータを便利に伝送するために、電子機器には、各種類のデータ伝送用インタフェースが設けられ、そのうち、ＵＳＢ（Ｕｎｉｖｅｒｓａｌ Ｓｅｒｉａｌ Ｂｕｓ）インタフェースは、よく使用されるデータ伝送用インタフェースである。
【０００３】
技術の発展に伴い、様々な種類のＵＳＢインタフェースが作られている。マイクロＵＳＢインタフェースは、よく使用されるＵＳＢインタフェースの１種であり、特に、携帯電話、タブレットＰＣ等のモバイル装置に用いられる。ＵＳＢ Ｔｙｐｅ（種類） Ｃインタフェースは、最も新しく制定されたＵＳＢインタフェースの１種であり、将来、マイクロＵＳＢインタフェースの代わりになるものである。将来の一定の時間内に、市場にはＵＳＢ Ｔｙｐｅ Ｃインタフェース及びマイクロＵＳＢインタフェースの２種類のインタフェース装置が同時に存在することになる。ＵＳＢ Ｔｙｐｅ ＣインタフェースとマイクロＵＳＢインタフェースとの間に適用される変換ケーブルは、この２種類の異なるインタフェースそれぞれを有する装置同士のデータ接続を提供する。このような変換ケーブルにおいて、通常、マイクロＵＳＢインタフェースのＩＤ（Ｉｄｅｎｔｉｔｙ）ピンは、ＵＳＢ Ｔｙｐｅ ＣインタフェースのＣＣ１ピン（ＵＳＢ Ｔｙｐｅ Ｃインタフェースのうちの１種類のピン）、ＣＣ２ピン（ＵＳＢ Ｔｙｐｅ Ｃインタフェースのうちの１種類のピン）と接続される。
【０００４】
あるＵＳＢ Ｔｙｐｅ Ｃインタフェース装置において、そのＣＣ１ピンとＶＢＵＳ（電源）は、抵抗を介して接続され、ＶＢＵＳの電圧は、通常５Ｖである。しかしながら、マイクロＵＳＢインタフェースＩＤピンの正常動作電圧が１．８Ｖのはずなので、このようなＵＳＢ Ｔｙｐｅ Ｃインタフェース装置とマイクロＵＳＢインタフェース装置とが変換ケーブルを介して接続される場合、マイクロＵＳＢインタフェース装置が損壊してしまうおそれがある。
【発明の概要】
【０００５】
本発明の実施の形態は、従来技術における問題を克服するために、電子機器、及びデータ伝送システムを提供する。技術的な解決手段は、以下のようである。
【０００６】
本発明の実施の形態の第１の態様によると第１の電子機器を提供し、当該第１の電子機器は、マイクロＵＳＢインタフェース、ＣＰＵ、及びダイオードを含み、
前記ＣＰＵのＩＤピンのプルアップ回路は、前記ＣＰＵのＩＤピンと前記マイクロＵＳＢインタフェースのＩＤピンとの間の回線に接続され、
前記ダイオードは、前記ＣＰＵのＩＤピンと前記マイクロＵＳＢインタフェースのＩＤピンとの間の回線に設けられ、前記プルアップ回路と前記マイクロＵＳＢインタフェースのＩＤピンとの間に位置し、
前記ダイオードの導通方向は、前記ＣＰＵのＩＤピンから前記マイクロＵＳＢインタフェースのＩＤピンに向かう方向である。
【０００７】
また、前記マイクロＵＳＢインタフェースのＩＤピンと前記ＣＰＵのＩＤピンとの間の回線には、第１の抵抗が直列に接続されていていてもよい。
【０００８】
また、前記第１の抵抗は、前記プルアップ回路と前記ＣＰＵのＩＤピンとの間の回線に設けられていてもよい。
【０００９】
また、前記プルアップ回路は、プルアップ電源、及び第２の抵抗を含んでもよい。
【００１０】
また、前記第２の抵抗の抵抗値は、予め設定された抵抗値の下限値より大きくてもよい。
【００１１】
また、前記プルアップ電源の電圧は、１．８Ｖであってもよい。
【００１２】
また、前記ダイオードは、ショットキーダイオードを含んでもよい。
【００１３】
本発明の実施の形態の第２の態様によるとデータ伝送システムを提供し、当該データ伝送システムは、ＵＳＢ Ｔｙｐｅ Ｃインタフェースを備える第２の電子機器、及び上記第１の電子機器を含み、
前記第２の電子機器のＵＳＢ Ｔｙｐｅ Ｃインタフェースと前記第１の電子機器のマイクロＵＳＢインタフェースとは、変換ケーブルを介して接続される。
【００１４】
また、前記ＵＳＢ Ｔｙｐｅ ＣインタフェースのＣＣ１ピン及びＣＣ２ピンは、前記変換ケーブルを介して前記マイクロＵＳＢインタフェースのＩＤピンに接続され、
前記ＵＳＢ Ｔｙｐｅ Ｃインタフェースの電源ＶＢＵＳピンは、前記変換ケーブルを介して前記マイクロＵＳＢインタフェースのＶＢＵＳピンに接続され、
前記ＵＳＢ Ｔｙｐｅ ＣインタフェースのＤ−ピンは、前記変換ケーブルを介して前記マイクロＵＳＢインタフェースのＤ−ピンに接続され、
前記ＵＳＢ Ｔｙｐｅ ＣインタフェースのＤ＋ピンは、前記変換ケーブルを介して前記マイクロＵＳＢインタフェースのＤ＋ピンに接続され、
前記ＵＳＢ Ｔｙｐｅ ＣインタフェースのＧＮＤピンは、前記変換ケーブルを介して前記マイクロＵＳＢインタフェースのＧＮＤピンに接続されていてもよい。
【００１５】
本発明の実施の形態に係る技術的な解決手段は、以下の有益な効果をもたらす。
【００１６】
本発明の実施の形態において、第１の電子機器は、マイクロＵＳＢインタフェース、ＣＰＵ、及びダイオードを含み、ここで、ＣＰＵのＩＤピンのプルアップ回路は、ＣＰＵのＩＤピンとマイクロＵＳＢインタフェースのＩＤピンとの間の回線に接続され、ダイオードは、ＣＰＵのＩＤピンとマイクロＵＳＢインタフェースのＩＤピンとの間の回線に設けられ、プルアップ回路とマイクロＵＳＢインタフェースのＩＤピンとの間に位置し、ダイオードの導通方向は、ＣＰＵのＩＤピンからマイクロＵＳＢインタフェースのＩＤピンに向かう方向である。これにより、第１の電子機器が変換ケーブルを介してＵＳＢ Ｔｙｐｅ Ｃインタフェース装置に接続され、且つＵＳＢ Ｔｙｐｅ Ｃインタフェース装置においてＣＣ１ピンとＶＢＵＳが接続される場合、ダイオードによりＶＢＵＳの電圧とＣＰＵのＩＤピンの電圧を隔離することができ、電子機器の損壊を防ぐことができる。
【図面の簡単な説明】
【００１７】
以下、本発明の実施の形態における技術的な解決手段をより明確にするために、実施の形態の説明に必要な図面について簡単に説明する。以下に説明しようとする図面は、本発明の一部の実施の形態にすぎず、当業者にとって、創造的な努力をしない前提で、これらの図面に基づいて他の図面を得ることができることは言うまでもない。
【図１】本発明の実施の形態に係る電子機器の構成を模式的に示す図である。
【図２】本発明の実施の形態に係るデータ伝送システムの構成を模式的に示す図である。
【図３】本発明の実施の形態に係る電子機器の構成を模式的に示す図である。
【図４】本発明の実施の形態に係るデータ伝送システムの構成を模式的に示す図である。
【図５】本発明の実施の形態に係るデータ伝送システムの構成を模式的に示す図である。
【図６】本発明の実施の形態に係るデータ伝送システムの構成を模式的に示す図である。
【００１８】
符号の説明
１００、第１の電子機器
２００、第２の電子機器
１、マイクロＵＳＢインタフェース
２、ＣＰＵ
３、ダイオード
４、プルアップ回路
５、第１の抵抗
６、第３の抵抗
７、ＵＳＢ Ｔｙｐｅ Ｃインタフェース
８、変換ケーブル
１１、マイクロＵＳＢインタフェースのＩＤピン
１２、マイクロＵＳＢインタフェースのＶＢＵＳピン
１３、マイクロＵＳＢインタフェースのＤ−ピン
１４、マイクロＵＳＢインタフェースのＤ＋ピン
１５、マイクロＵＳＢインタフェースのＧＮＤピン
２１、ＣＰＵのＩＤピン
４１、プルアップ電源
４２、第２の抵抗
７１、ＵＳＢ Ｔｙｐｅ ＣインタフェースのＣＣ１ピン
７２、ＵＳＢ Ｔｙｐｅ ＣインタフェースのＣＣ２ピン
７３、ＵＳＢ Ｔｙｐｅ ＣインタフェースのＶＢＵＳピン
７４、ＵＳＢ Ｔｙｐｅ ＣインタフェースのＤ−ピン
７５、ＵＳＢ Ｔｙｐｅ ＣインタフェースのＤ＋ピン
７６、ＵＳＢ Ｔｙｐｅ ＣインタフェースのＧＮＤピン
【発明を実施するための形態】
【００１９】
以下、本発明の目的、技術的な解決手段及び利点をより明確にするために、図面を参照しながら、本発明の実施形態についてさらに詳細に説明する。
【００２０】
実施の形態１
本発明の実施の形態は、電子機器（第１の電子機器１００とも称する）を提供し、図１に示されるように、第１の電子機器１００は、マイクロＵＳＢインタフェース１、ＣＰＵ（Ｃｅｎｔｒａｌ Ｐｒｏｃｅｓｓｉｎｇ Ｕｎｉｔ）２、及びダイオード３を含み、ここで、
ＣＰＵのＩＤピン２１のプルアップ回路は、ＣＰＵのＩＤピン２１とマイクロＵＳＢインタフェースのＩＤピン１１との間の回線に接続され、ダイオード３は、ＣＰＵのＩＤピン２１とマイクロＵＳＢインタフェースのＩＤピン１１との間の回線に設けられ、プルアップ回路とマイクロＵＳＢインタフェースのＩＤピン１１との間に位置し、当該ダイオード３の導通方向は、ＣＰＵのＩＤピン２１からマイクロＵＳＢインタフェースのＩＤピン１１に向かう方向である。
【００２１】
本発明の実施の形態において、第１の電子機器は、マイクロＵＳＢインタフェース、ＣＰＵ及びダイオードを含み、ここで、ＣＰＵのＩＤピンのプルアップ回路は、ＣＰＵのＩＤピンとマイクロＵＳＢインタフェースのＩＤピンとの間の回線に接続され、ダイオードは、ＣＰＵのＩＤピンとマイクロＵＳＢインタフェースのＩＤピンとの間の回線に設置され、プルアップ回路とマイクロＵＳＢインタフェースのＩＤピンとの間に位置し、ダイオードの導通方向は、ＣＰＵのＩＤピンからマイクロＵＳＢインタフェースのＩＤピンに向かう方向である。これにより、第１の電子機器が変換ケーブルを介してＵＳＢ Ｔｙｐｅ Ｃインタフェース装置に接続され、且つＵＳＢ Ｔｙｐｅ Ｃインタフェース装置においてＣＣ１ピンとＶＢＵＳとが接続される場合、ダイオードによりＶＢＵＳの電圧とＣＰＵのＩＤピンの電圧を隔離することができるため、電子機器の損壊を防ぐことができる。
【００２２】
実施の形態２
本発明の実施の形態は、第１の電子機器１００を提供し、図１に示されるように、第１の電子機器１００は、マイクロＵＳＢインタフェース１、ＣＰＵ（Ｃｅｎｔｒａｌ Ｐｒｏｃｅｓｓｉｎｇ Ｕｎｉｔ）２及びダイオード３を含み、ここで、ＣＰＵのＩＤピン２１のプルアップ回路４は、ＣＰＵのＩＤピン２１とマイクロＵＳＢインタフェースのＩＤピン１１との間の回線に接続され、ダイオード３は、ＣＰＵのＩＤピン２１とマイクロＵＳＢインタフェースのＩＤピン１１との間の回線に設けられ、プルアップ回路４とマイクロＵＳＢインタフェースのＩＤピン１１との間に位置し、ダイオード３の導通方向は、ＣＰＵのＩＤピン２１からマイクロＵＳＢインタフェースのＩＤピン１１に向かう方向である。
【００２３】
ここで、ダイオード３は、電流の単方向導通特性を有する電子部品である。本実施の形態において、ダイオード３は、ショットキーダイオードであってもよい。ショットキーダイオードは、優れた正方向（すなわち、導通方向）導通性能及び逆方向（すなわち、導通方向の逆方向）保護性能を有する。
【００２４】
実施の形態において、第１の電子機器１００は、例えば携帯電話、タブレットＰＣ等のマイクロＵＳＢインタフェース装置であってもよい。第１の電子機器１００には、マイクロＵＳＢインタフェース１が設けられ、マイクロＵＳＢインタフェースのＩＤピン１１とＣＰＵのＩＤピン２１とが接続される。第１の電子機器１００において、ＣＰＵのＩＤピン２１に対してプルアップ回路４が設けられ、当該プルアップ回路４は、ＣＰＵのＩＤピン２１の電圧をプルアップするためのものであり、ＣＰＵ２の外部に設けられてもよく、ＣＰＵ２の内部に設けられてもよい。マイクロＵＳＢインタフェースのＩＤピン１１とＣＰＵのＩＤピン２１との間の回線とプルアップ回路４との接続点は、Ｈと呼ばれ、ダイオード３は、マイクロＵＳＢインタフェースのＩＤピン１１と点Ｈとの間に設けられる。これにより、第１の電子機器１００が変換ケーブル８を介してあるＵＳＢ Ｔｙｐｅ Ｃインタフェース装置に接続され、かつ当該ＵＳＢ Ｔｙｐｅ Ｃインタフェース装置においてＣＣ１ピンが抵抗を介してＶＢＵＳに接続されると、ダイオード３は、ＶＢＵＳの電圧とＣＰＵのＩＤピン２１の電圧とを隔離することができ、ＣＰＵのＩＤピン２１の電圧がＶＢＵＳ電圧の影響を受けず、５Ｖまで高くならないため、第１の電子機器１００は、損壊しない。
【００２５】
また、マイクロＵＳＢインタフェースのＩＤピン１１とＣＰＵのＩＤピン２１との間の回線には、第１の抵抗５が直列に接続されてもよい。
【００２６】
実施の形態において、第１の抵抗５は、マイクロＵＳＢインタフェースのＩＤピン１１とＣＰＵのＩＤピン２１との間の回線の任意の位置に設けられることができ、ダイオード３とＣＰＵのＩＤピン２１との間に設けられてもよく、ダイオード３とマイクロＵＳＢインタフェースのＩＤピン１１との間に設けられてもよい。第１の抵抗５を設けることにより、ＣＰＵのＩＤピン２１をさらに保護することができる。マイクロＵＳＢインタフェースのＩＤピン１１の電圧が大きいため、ダイオード３が逆方向電流を安定的に遮断できない場合もあり得るが、第１の抵抗５により、逆方向電流をさらに低下させることができる。
【００２７】
また、図１に示されるように、プルアップ回路４は、プルアップ電源４１及び第２の抵抗４２を含んでもよい。ここで、プルアップ電源４１の電圧（プルアップ電圧と呼ばれる）は、１．８Ｖである。第２の抵抗４２は、プルアップ電源４１と点Ｈとの間に直列に接続される。
【００２８】
また、第２の抵抗４２の抵抗値を、予め設定された抵抗値の下限値より大きく設定してもよい。
【００２９】
実施の形態において、ＣＰＵのＩＤピン２１の１つの重要な役割は、マイクロＵＳＢインタフェース１を介してアクセスされる外部の電子機器を識別することである。すなわち、電子機器がアクセスしてくると、ＣＰＵのＩＤピン２１の電圧の変化により、電子機器のアクセスを検出する。あるタイプのＵＳＢ Ｔｙｐｅ Ｃインタフェース装置において、そのＣＣ１ピン７１が抵抗（第３の抵抗６とも呼ばれる）を介してグラウンドに接続される。このタイプのＵＳＢ Ｔｙｐｅ Ｃインタフェース装置が変換ケーブル８を介して第１の電子機器１００のマイクロＵＳＢインタフェース１に接続される場合の識別率を高めるために、第２の抵抗４２の抵抗値を、所定の抵抗値の下限値より大きく設定することにより、当該タイプのＵＳＢ Ｔｙｐｅ Ｃインタフェース装置が第１の電子機器１００に接続されるときのＣＰＵのＩＤピン２１の電圧変化幅を保証し、識別率を高める。第２の抵抗４２の抵抗値を設定することで、第１の電子機器１００のマイクロＵＳＢインタフェース１に他の電子機器が接続されていない場合、ＣＰＵのＩＤピン２１で検出される電圧は、プルアップ電源４１の電圧であり、例えば、１．８Ｖである。第１の電子機器１００のマイクロＵＳＢインタフェース１が変換ケーブル８を介して上記タイプのＵＳＢ Ｔｙｐｅ Ｃインタフェース装置に接続されると、図２に示されるように、ダイオード３及び第３の抵抗６の総抵抗と第２の抵抗４２は、プルアップ電圧を分圧し、ＣＰＵのＩＤピン２１で検出される電圧は、ダイオード３及び第３の抵抗６の総抵抗により分圧された電圧である。第２の抵抗４２の抵抗値が充分に大きいと、ＣＰＵのＩＤピン２１で検出される電圧をプルアップ電圧の３０％以内に抑えることができ、これにより、第１の電子機器１００は、当該ＵＳＢ Ｔｙｐｅ Ｃインタフェース装置のアクセスを検出することができる。そのため、上記原理に従って、抵抗値の下限値を設定することができる。
【００３０】
また、図３に示されるように、第１の抵抗５は、プルアップ回路４とＣＰＵのＩＤピン２１との間の回線に設けられていてもよい。
【００３１】
実施の形態において、上記ＣＣ１ピンが抵抗を介してグラウンドに接続されるタイプのＵＳＢ Ｔｙｐｅ Ｃインタフェース装置について、このタイプのＵＳＢ Ｔｙｐｅ Ｃインタフェース装置が変換ケーブル８を介して第１の電子機器１００のマイクロＵＳＢインタフェース１に接続されるときの識別率を高めるために、第１の抵抗５をプルアップ回路４とＣＰＵのＩＤピンとの間の回線に設けることができる。すなわち、点ＨとＣＰＵのＩＤピンとの間の回線に設ける。これにより、第１の電子機器１００のマイクロＵＳＢインタフェース１に他の電子機器が接続されていない場合、ＣＰＵのＩＤピン２１で検出される電圧は、プルアップ回路４におけるプルアップ電源４１の電圧であり、例えば１．８Ｖである。第１の電子機器１００のマイクロＵＳＢインタフェース１が変換ケーブル８を介して上記タイプのＵＳＢ Ｔｙｐｅ Ｃインタフェース装置に接続される場合、図４に示されるように、第１の抵抗５を点ＨとＣＰＵのＩＤピン２１との間の回線に設けると、ＣＰＵのＩＤピン２１で検出される電圧は、ダイオード３及び第３の抵抗６の総抵抗により分圧される電圧である。一方、第１の抵抗５を点ＨとマイクロＵＳＢインタフェースのＩＤピン１１との間の回線に設けると、第１の抵抗５は、ダイオード３及び第３の抵抗６とともに、第２の抵抗４２と分圧し、ＣＰＵのＩＤピン２１で検出される電圧は、ダイオード３、第１の抵抗５及び第３の抵抗６の総抵抗により分圧される電圧である。そのため、第１の抵抗５を点ＨとＣＰＵのＩＤピン２１との間の回線に設ける場合、そのときのＣＰＵのＩＤピン２１で検出される電圧の低減に有利であり、これにより、第１の電子機器１００は、当該ＵＳＢ Ｔｙｐｅ Ｃインタフェース装置のアクセスをより容易に検出することができる。
【００３２】
本発明の実施の形態において、第１の電子機器は、マイクロＵＳＢインタフェース、ＣＰＵ及びダイオードを含み、ここで、ＣＰＵのＩＤピンのプルアップ回路は、ＣＰＵのＩＤピンとマイクロＵＳＢインタフェースのＩＤピンとの間の回線に接続され、ダイオードは、ＣＰＵのＩＤピンとマイクロＵＳＢインタフェースのＩＤピンとの間の回線に設けられ、プルアップ回路とマイクロＵＳＢインタフェースのＩＤピンとの間に位置し、ダイオードの導通方向は、ＣＰＵのＩＤピンからマイクロＵＳＢインタフェースのＩＤピンに向かう方向である。これにより、第１の電子機器が変換ケーブルを介してＵＳＢ Ｔｙｐｅ Ｃインタフェース装置に接続され、且つＵＳＢ Ｔｙｐｅ Ｃインタフェース装置においてＣＣ１ピンとＶＢＵＳとが接続される場合、ダイオードによりＶＢＵＳの電圧とＣＰＵのＩＤピンの電圧を隔離することができるため、電子機器の損壊を防ぐことができる。
【００３３】
実施の形態３
本発明の実施の形態は、データ伝送システムをさらに提供し、当該データ伝送システムは、第２の電子機器２００及び上記実施の形態において説明した第１の電子機器１００を含み、第２の電子機器２００は、ＵＳＢ Ｔｙｐｅ Ｃインタフェース７を含み、第２の電子機器２００のＵＳＢ Ｔｙｐｅ Ｃインタフェース７と第１の電子機器１００のマイクロＵＳＢインタフェース１とが変換ケーブル８を介して接続される。
【００３４】
ここで、変換ケーブル８は、ＵＳＢ Ｔｙｐｅ ＣインタフェースとマイクロＵＳＢインタフェースとの変換ケーブルであってもよい。
【００３５】
実施の形態において、第２の電子機器２００は、例えば、ＵＳＢメモリ、ＵＳＢスピーカ等のＵＳＢ Ｔｙｐｅ Ｃインタフェース装置であってもよい。第２の電子機器２００は、任意のタイプのＵＳＢ Ｔｙｐｅ Ｃインタフェース装置であってもよい。図５に示されるように、例えば、上記ＣＣ１ピン７１が抵抗を介してＶＢＵＳに接続されるタイプのＵＳＢ Ｔｙｐｅ Ｃインタフェース装置であってもよく、図６に示されるように、上記ＣＣ１ピン７１が抵抗を介してグラウンドに接続されるタイプのＵＳＢ Ｔｙｐｅ Ｃインタフェース装置であってもよい。
【００３６】
また、図５及び図６に示されるように、ＵＳＢ Ｔｙｐｅ ＣインタフェースのＣＣ１ピン７１とＣＣ２ピン７２は、変換ケーブル８を介してマイクロＵＳＢインタフェースのＩＤピン１１に接続されていてもよく、ＵＳＢ Ｔｙｐｅ ＣインタフェースのＶＢＵＳピン７３は、変換ケーブル８を介してマイクロＵＳＢインタフェースのＶＢＵＳピン１２に接続されていてもよく、ＵＳＢ Ｔｙｐｅ ＣインタフェースのＤ−ピン７４は、変換ケーブル８を介してマイクロＵＳＢインタフェースのＤ−ピン１３に接続されていてもよく、ＵＳＢ Ｔｙｐｅ ＣインタフェースのＤ＋ピン７５は、変換ケーブル８を介してマイクロＵＳＢインタフェースのＤ＋ピン１４に接続されていてもよく、ＵＳＢ Ｔｙｐｅ ＣインタフェースのＧＮＤピン７６は、変換ケーブル８を介してマイクロＵＳＢインタフェースのＧＮＤピン１５に接続されていてもよい。
【００３７】
本発明の実施の形態において、第１の電子機器は、マイクロＵＳＢインタフェース、ＣＰＵ及びダイオードを含み、ここで、ＣＰＵのＩＤピンのプルアップ回路は、ＣＰＵのＩＤピンとマイクロＵＳＢインタフェースのＩＤピンとの間の回線に接続され、ダイオードは、ＣＰＵのＩＤピンとマイクロＵＳＢインタフェースのＩＤピンとの間の回線に設けられ、プルアップ回路とマイクロＵＳＢインタフェースのＩＤピンとの間に位置し、ダイオードの導通方向は、ＣＰＵのＩＤピンからマイクロＵＳＢインタフェースのＩＤピンに向かう方向である。これにより、第１の電子機器が変換ケーブル８を介してＵＳＢ Ｔｙｐｅ Ｃインタフェース装置に接続され、且つＵＳＢ Ｔｙｐｅ Ｃインタフェース装置においてＣＣ１ピンとＶＢＵＳとが接続される場合、ダイオードによりＶＢＵＳの電圧とＣＰＵのＩＤピンの電圧を隔離することができ、電子機器の損壊を防ぐことができる。
【００３８】
当業者は、上記実施の形態の全部または一部のステップをハードウェアにより実現してもよく、プログラムにより関連するハードウェアを命令することで実現してもよいことを理解することができるであろう。上記プログラムは、コンピュータ読み取り可能な記録媒体に記憶され、ここでの記録媒体は、ＲＯＭ、ディスク或いはＣＤなどである。
【００３９】
以上は、本発明の好適な実施の形態であり、本発明を制限するためのものではない。本発明の意旨及び原則内に行われる任意の修正、均等置換及び改善等は、すべて本発明の保護範囲内に含まれる。
【００４０】
本願は、出願番号が２０１４１０８５１０２９．０であって、出願日が２０１４年１２月３１日である中国特許出願に基づき優先権を主張し、当該中国特許出願のすべての内容を本願に援用する。
【図１】
2017505502.tif 000003
【図２】
2017505502.tif 000004
【図３】
2017505502.tif 000005
【図４】
2017505502.tif 000006
【図５】
2017505502.tif 000007
【図６】
2017505502.tif 000008
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
マイクロＵＳＢインタフェース、ＣＰＵ、及びダイオードを含む第１の電子機器であって、
前記ＣＰＵのＩＤピンのプルアップ回路は、前記ＣＰＵのＩＤピンと前記マイクロＵＳＢインタフェースのＩＤピンとの間の回線に接続され、
前記ダイオードは、前記ＣＰＵのＩＤピンと前記マイクロＵＳＢインタフェースのＩＤピンとの間の回線に設けられ、前記プルアップ回路と前記マイクロＵＳＢインタフェースのＩＤピンとの間に位置し、
前記ダイオードの導通方向は、前記ＣＰＵのＩＤピンから前記マイクロＵＳＢインタフェースのＩＤピンに向かう方向であることを特徴とする第１の電子機器。
【請求項２】
前記マイクロＵＳＢインタフェースのＩＤピンと前記ＣＰＵのＩＤピンとの間の回線には、第１の抵抗が直列に接続されていることを特徴とする請求項１に記載の第１の電子機器。
【請求項３】
前記第１の抵抗は、前記プルアップ回路と前記ＣＰＵのＩＤピンとの間の回線に設けられていることを特徴とする請求項２に記載の第１の電子機器。
【請求項４】
前記プルアップ回路は、プルアップ電源、及び第２の抵抗を含むことを特徴とする請求項１に記載の第１の電子機器。
【請求項５】
前記第２の抵抗の抵抗値は、予め設定された抵抗値の下限値より大きいことを特徴とする請求項４に記載の第１の電子機器。
【請求項６】
前記プルアップ電源の電圧は、１．８Ｖであることを特徴とする請求項４に記載の第１の電子機器。
【請求項７】
前記ダイオードは、ショットキーダイオードを含むことを特徴とする請求項１に記載の第１の電子機器。
【請求項８】
ＵＳＢ Ｔｙｐｅ Ｃインタフェースを備える第２の電子機器、及び請求項１乃至７のいずれか１項に記載の第１の電子機器を含むデータ伝送システムであって、
前記第２の電子機器のＵＳＢ Ｔｙｐｅ Ｃインタフェースと前記第１の電子機器のマイクロＵＳＢインタフェースとは、変換ケーブルを介して接続されることを特徴とするデータ伝送システム。
【請求項９】
前記ＵＳＢ Ｔｙｐｅ ＣインタフェースのＣＣ１ピン及びＣＣ２ピンは、前記変換ケーブルを介して前記マイクロＵＳＢインタフェースのＩＤピンに接続され、
前記ＵＳＢ Ｔｙｐｅ Ｃインタフェースの電源ＶＢＵＳピンは、前記変換ケーブルを介して前記マイクロＵＳＢインタフェースのＶＢＵＳピンに接続され、
前記ＵＳＢ Ｔｙｐｅ ＣインタフェースのＤ−ピンは、前記変換ケーブルを介して前記マイクロＵＳＢインタフェースのＤ−ピンに接続され、
前記ＵＳＢ Ｔｙｐｅ ＣインタフェースのＤ＋ピンは、前記変換ケーブルを介して前記マイクロＵＳＢインタフェースのＤ＋ピンに接続され、
前記ＵＳＢ Ｔｙｐｅ ＣインタフェースのＧＮＤピンは、前記変換ケーブルを介して前記マイクロＵＳＢインタフェースのＧＮＤピンに接続されることを特徴とする請求項８に記載のデータ伝送システム。
【国際調査報告】
2017505502.tif 000009
2017505502.tif 000010
2017505502.tif 000011
2017505502.tif 000012